(57)【特許請求の範囲】
【請求項１】
１つのセラミック製の本体と、前記本体に配置される２つの電極と、前記電極の電気的接触のための２つの接触片とを有するセンサ素子を備え、前記接触片の各々が前記電極に溶接またはボンディングで固定されるセンサ装置において、
前記本体を支持するための支持体を更に備え、
前記支持体は１本の棒状であり、
前記接触片が、前記センサ素子を前記支持体に接続することを特徴とするセンサ装置。
【請求項２】
前記接触片が、狭開先溶接（gap welding）、テルモード（thermode）溶接、およびレーザ溶接からなる群のうちの１つの方法によって固定されることを特徴とする請求項１に記載のセンサ装置。
【請求項３】
前記接触片が、太線ボンディングまたは細線ボンディングによって前記電極に固定されることを特徴とする請求項１に記載のセンサ装置。
【請求項４】
前記接触片は、Ｃｕ、Ｆｅ、およびＮｉからなる群のうちの１つの金属を含むことを特徴とする請求項１〜３のいずれか１項に記載のセンサ装置。
【請求項５】
前記電極は、焼き付けられたペーストによって形成される少なくとも１つの層を備える、請求項１〜４のいずれか１項に記載のセンサ装置。
【請求項６】
前記電極は、スパッタリングされた少なくとも１つの層を備えることを特徴とする請求項１〜５のいずれか１項に記載のセンサ装置。
【請求項７】
前記スパッタリングされた層がニッケルを含むことを特徴とする請求項６に記載のセンサ装置。
【請求項８】
前記電極は、直接重なり合って配置される複数層を備えることを特徴とする上記請求項１〜７のいずれか１項に記載のセンサ装置。
【請求項９】
前記電極はニッケルを含む層、およびその上に配置される被覆層を備えることを特徴とする請求項８に記載のセンサ装置。
【請求項１０】
前記接触片は被覆層に直接固定されることを特徴とする請求項８または請求項９に記載のセンサ装置。
【請求項１１】
前記接触片は、部分的に被覆層によって被覆される一層に固定されることを特徴とする請求項８〜１０のいずれか１項に記載のセンサ装置。
【請求項１２】
前記接触片は、独立した導線として形成されることを特徴とする請求項１〜１１のいずれか１項に記載のセンサ装置。
【請求項１３】
前記支持体がセラミック製の支持体の形状をしていることを特徴とする請求項１〜１２のいずれか１項に記載のセンサ装置。
【請求項１４】
前記支持体は２つの側面に金属被覆部を備えることを特徴とする請求項１３に記載のセンサ装置。
【請求項１５】
１つのセラミック製の本体と、前記本体に配置される少なくとも１つの電極と、前記電極の電気的接触のための少なくとも１つの接触片とを有するセンサ素子を備え、前記接触片の各々が前記電極に溶接またはボンディングで固定されるセンサ装置において、
前記本体を支持するための支持体を更に備え、
前記支持体は少なくとも１つの金属被覆部を有するセラミックを備え、
前記接触片が、前記電極を前記金属被腹部に電気的に接続することを特徴とするセンサ装置。
【請求項１６】
前記支持体は２つの側面に金属被覆部を備えることを特徴とする請求項１５に記載のセンサ装置。
【請求項１７】
前記支持体は棒状であることを特徴とする請求項１５または請求項１６に記載のセンサ装置。
【請求項１８】
請求項１〜１７のいずれか１項に記載のセンサ装置の製造方法であって、
少なくとも１つの電極が配置されるセラミック製の本体が設けられ、接触片が、前記電極に溶接またはボンディングによって固定されることを特徴とする製造方法。
【発明の詳細な説明】
【技術分野】
【０００１】
セラミック製の本体を有するセンサ素子について記載される。センサ素子は特に温度の測定に使用される。センサ素子は、例えば、ＮＴＣ（負の温度係数）センサ素子、すなわちサーミスタである。
【背景技術】
【０００２】
センサ素子、特に温度センサにおける要件は、攻撃的な媒体（aggressive media）と使用温度での長期安定性に関して高いレベルの堅牢性が必要である。同時にセンサ素子は低コストで製造できなければならない。
【０００３】
セラミックの電気的接触用として、本体には金属製の電極が使用される。通常、金属製の電極に対して接続導線が半田付けされる。
【発明の概要】
【発明が解決しようとする課題】
【０００４】
改良されたセンサ装置および改良されたセンサ装置の製造方法を提示することが本発明の課題である。
【課題を解決するための手段】
【０００５】
本発明の一態様によれば、セラミック製の本体を有するセンサ素子が提示される。このセンサ素子は、望ましくは、それはＮＴＣセラミックを含む。例えばセラミックはＹ、Ｃａ、Ｃｒ、Ａｌ、Ｏ元素を含むペロブスカイト構造、またはＮｉ、Ｃｏ、Ｍｎ、Ｏ元素を含むスピネル構造を有する。センサ素子は特に温度の測定用として設計される。
【０００６】
センサ素子は少なくとも１つの電極を備える。電極は本体に、特に本体の側面に配置される。望ましくは２つの電極が本体に配置される。例えば、１つの別の電極が本体の、特に反対側にある別の側面に配置される。センサ素子は例えば立方体形状に形成される。電極は例えば本体の上側と下側に配置される。
【０００７】
望ましくは、電極全体は層状に形成される。電極は複数の層を備える。
【０００８】
センサ素子は、電極に溶接またはボンディングによって固定される、電極の電気的接触のための少なくとも１つの接触片を備える。例えば接触片は、狭開先溶接（gap welding）、テルモード（thermode）溶接、およびレーザ溶接からなる群のうちの１つの方法によって電極に固定される。ボンディングの場合、太線ボンディングまたは細線ボンディングを使用することができる。これは特に接触片の種類によって決まる。
【０００９】
このような接続技術におけるセンサ素子の耐熱性は、半田付け接続と比較して、改良されていることが判明している。半田付け接続の使用温度は半田の溶融温度によって制限される。高い鉛含有量の半田は約３００℃の溶融温度を持ち、多くの無鉛半田は２３０℃以下の温度で溶融する。特に頻繁に温度負荷が変化する場合には、半田接続は十分には信頼できない。特に接触片と電極との間の接触点、すなわち接続点ではより良い長期安定性を表している。半田不使用の、特に銀不使用の構造の場合、移行抵抗（migration resistance）も改良されている。
【００１０】
望ましくは、２つの接触片を設け、それぞれの接触片をセンサ素子の２つの電極の各々に固定することが望ましい。接触片は電極に直接固定することが望ましい。以下において、接触片の一方について詳細に説明するが、その説明は、他方の接触片についても同様に当てはまる。
【００１１】
例えば、接触片は導線の形状をしている。導線は、接続位置の断面が円形をしているか、それとも平坦な形状をしている。さらに、導線は矩形の断面を備えたもの、または平らな帯状のものを使用してもよい。この場合、接触片は、例えばセンサ素子の接触子に対する電気的接続の役割を果たすための短い導線ブリッジを含んでいてもよい。特に接触片は、例えば細線ボンディングによって電極に固定する細い導線を含めてもよい。
【００１２】
接続要素は例えば支持体上に配置したり、支持体の一部を構成したり、支持体の形状をしていてもよい。例えば、接続要素は回路基板上の導通路や、プローブを導電的に支持するものや、この種の支持体の金属被覆である。
【００１３】
接触片も、支持体上に配置したり、支持体の一部を構成したり、支持体の形状をしていてもよい。一実施形態において、接触片は同時にセンサ素子に対する支持体を構成するか、または支持体の一体化された構成要素を形成する。この場合、センサ素子の電極は、望ましくは支持体に直接、すなわち、独立した別の接触要素なしに固定する。例えば接触片はこの場合、太線ボンディングによって電極に固定する。
【００１４】
一実施形態において、接触片は独立した接触要素として形成される。特に接触片は支持体と一体的な構成要素ではない。接触片は例えば溶接またはボンディングによって支持体に固定できる。
【００１５】
例えば、接触片は、腐食傾向の低い１つまたは複数の温度安定性金属を含むか、またはその金属によって構成される。一実施形態において、接触片は、例えばＰｔ、Ａｕ、Ａｇのうちの１つまたは複数の金属によって構成されるような貴金属を含む。一実施形態において、接触片は、例えばＣｕ等のうちの１つまたは複数の金属によって構成される半貴金属を含む。一実施形態において、接触片は、例えばＦｅ、Ｎｉ等のうちの１つまたは複数の金属によって構成されるような非貴金属を含む。接触片は、合金を含むことができる。
【００１６】
接触片は異なる材料を有する小領域も含むことができる。例えば接触片は金属の芯を備え、１つまたは複数の別の金属によって被覆される。接触片の表面は、付加的にさらに例えば錫メッキ、ニッケルメッキ、または銀メッキのような被覆を備えることができる。
【００１７】
一実施形態において、電極は、焼き付けられた（burnt-in）ペーストによって形成される少なくとも１つの層を備える。ペーストは例えば本体のセラミックに直接塗布する。ペーストはスクリーン印刷によって塗布することができる。焼き付けられた層に１つまたは複数の別の層を配置することができる。例えば焼き付けられた層に１つまたは複数のスパッタリングされた層がつけられる。
【００１８】
焼き付けられた電極は、例えば２５０℃〜３００℃あるいはそれ以上の領域における、センサ素子の高い使用温度に対しても適している。また、焼き付けられた電極は、高温が必要な製造工程の他のステップに対しても適している。例えばセンサ素子は、接触片の取り付け後にガラスカバーが装着される。
【００１９】
一実施形態において、電極は、金または銀を備える。これらの材料は特に焼き付けられた層に対して適している。
【００２０】
一実施形態において、電極は、少なくとも１つのスパッタリングされた層を備える。望ましくは、スパッタリングされた層は、本体のセラミック上に直接つけられ、従ってセラミックに直接接触する。例えば全ての層はスパッタリングによってつけることができる。例えば電極は焼き付けられたペーストを含まない。
【００２１】
スパッタリングされた電極の場合、特に、例えば７００℃〜９００℃の温度での金属被覆ペーストの焼き付けを省略できることにより、製造工程でのセンサ素子に対する熱的負荷が比較的小さいという利点がある。さらに、スパッタリング工程は、特に低コスト製造を可能にする。例えば、焼き付けが必要な電極処理のための、ペースト塗布、ペースト乾燥、およびその後の焼き付けが省略されるため、製造コストを低減できる。また、スパッタリング工程は電極用の幅広い材料選択を可能にする。このように、接触片の材料と接合に関する大きな自在性が獲得される。
【００２２】
例えば、電極とは薄膜電極であり、例えば電極全体で０．３μｍ〜３０μｍの範囲の厚さを有する。
【００２３】
一実施形態において、電極は、ニッケルを含む少なくとも１つの層を備える。層はニッケルによっても構成することができる。
【００２４】
ニッケルを含有する層は、特に機械的および電気的接続（結合）が優れており、特にセラミックに対する良好な結合を可能にする。例えば、セラミックに対する低抵抗接触が実現できる。さらにニッケル含有層は、異なる材料から成る接触片によるセンサ素子の確かな接触を可能にする。それによって用途における高い自在性が実現できる。例えばこのような電極は、金含有の、銀含有の、アルミニウム含有の、または銅含有の接触片の結合を可能にする。接触片の材料および電極の材料、例えば被覆層の材料は、互いに適応させることが望ましい。例えば、金含有の接触片の場合、金含有の被覆層が使用され、アルミニウム含有の接触片の場合、アルミニウム含有の被覆層が使用される。
【００２５】
例えば、ニッケル含有層がスパッタリングされる。例えばニッケル含有層は本体のセラミックに直接つけられ、従ってセラミックに直接接触する。
【００２６】
一実施形態において、ニッケル含有層は付加的にわずかな割合の（fraction of）バナジウムを含む。わずかな割合のバナジウムは特にスパッタリング法に関する工程技術上の理由により有利である。例えば、バナジウムはニッケル含有層に７％の重量割合において存在する。ニッケルは例えば９３％の重量割合において存在する。
【００２７】
ニッケル含有層の厚さは、例えば０．３μｍ〜１０μｍの範囲内にある。
【００２８】
一実施形態において、電極は直接重なり合って配置される複数の層を備える。
【００２９】
例えば、電極は１つの上部層と１つの下部層を備える。下部層は、望ましくは本体のセラミックに直接接触する。上部層は例えば下部層の上に直接つけられる。例えば両層はスパッタリングされる。代替的に少なくとも下部層は焼き付けることができる。電極は２つ以上の層を備えることができる。
【００３０】
例えば、下部層はクロムを含むか、またはクロムによって構成される。クロム含有層は特にセラミックに対して定着を促進するものとして有利である。
【００３１】
例えば、上部層はニッケルを含むか、またはニッケルによって構成される。付加的に上部層はわずかな割合のバナジウムを備えることができる。
【００３２】
一実施形態において、電極は付加的に被覆層を備える。被覆層は電極の最上層であり、したがって上向き方向の最終層を形成する。被覆層の下にある電極の部分も電極ベースとも呼ぶことができる。その場合、それは特に１つまたは複数の層を含む。
【００３３】
例えば被覆層は酸化抑制金属を含む。特に被覆層は銀、金、銅およびアルミニウムからなる群のうちの少なくとも１つの材料を含む。望ましくは、被覆層はスパッタリングされる。
【００３４】
被覆層によって電極の腐食、特に被覆層の下にある電極の層の腐食は防止される。さらに被覆層は電極の機械的な負荷能力も改良することができる。
【００３５】
それの代替にまたは付加的に、被覆層は接触片との接触に対して有利である。一実施形態において接触片は被覆層に直接固定される。ボンディングによる接合の場合、例えば金含有の、または金によって構成される被覆層に金導線が固定されることになる。
【００３６】
一実施形態において、接触片は、部分的に被覆層によって被覆される電極の一部、特に１つの層に固定される。例えば被覆層は電極ベースの一部へのみ取り付けられ、その結果、電極ベースの一部は被覆層がない。この場合、電極の電気的接触は電極ベースに直接行われる。その場合、被覆層は例えば電極ベースの露出部分に対する酸化保護としての役割のみを果たす。
【００３７】
例えば被覆層は０．０５μｍ〜２０μｍの範囲の厚さを備える。電極ベース、すなわち電極の残部は、例えば０．３μｍ〜１０μｍの範囲の厚さを有する。
【００３８】
本発明の別の一観点によれば、上述したようなセンサ素子を備えたセンサ装置が記載される。センサ装置は本体を支持するための支持体を備える。本体は、望ましくは支持体に固定される。支持体は、望ましくは特に支持体の形状変更または本体の位置変更が生じることなく、支持体の向きが異なっていても本体を固定位置に保持するために、十分な固有安定性を備える。
【００３９】
支持体は本体を支持する機能の他に本体の電気的接続の役割を果たす。支持体は導電性に形成されるか、または導電性の部品を備える。特に本体は支持体に対して導電的に接続される。
【００４０】
センサ素子の電極は支持体に、溶接またはボンディングによって接続され、特に電気的に接続される。接続は直接的または間接的に行われる。
【００４１】
一実施形態において、センサ素子の電極が支持体に電気的に直接接続される。この場合、上述した接触片は同時に支持体としての役割を果たすことができ、または支持体の一部を形成することができる。例えば、電極は支持体にボンディング、特に太線ボンディングによって接続される。
【００４２】
一実施形態において、電極は間接的に支持体に電気的に接続される。特に接触片は独立した接触要素として形成され、支持体と一体的な構成要素としては形成されていない。電極はこの場合、接触要素を介して支持体に接続される。接触要素は溶接接続またはボンディング接合によって電極に接続される。例えば、それは接触要素において導線が関係し、例えば導線ブリッジが関係する。
【００４３】
例えば、支持体は棒状である。例えば支持体は太い導線または棒を有する。支持体は２つの支持要素を含む。各支持要素は棒状に、例えば太い導線または棒として、形成される。別の一実施形態において、支持体はセラミック製の支持体の形状をしている。例えばセラミック製の支持体は電極の電気的接続のための金属被覆部を備える。
【００４４】
一実施形態において、センサ装置はプローブの形状である。プローブは例えば流動媒体のパラメータ、特に温度を測定するために使用される。例えばプローブは管の壁の開口を通して差し込める。支持体は例えば電極に接続される太い、寸法的に安定した導線を備える。導線は例えば電極に太線ボンディングによって直接固定される。代替的に導線は導線ブリッジを介して電極に接続することもできる。
【００４５】
一実施形態において、支持体は回路基板の形状である。特に回路基板はセンサ素子の電極に電気的に接続される導通路を備える。電極は導通路に接触片、例えば導線ブリッジを介して、溶接またはボンディングによって接続される。センサ素子は導通路上の別の電極を介して導通路上に取り付け、導通路に固定される。例えば別の電極は導通路と共に、例えば低温における圧力下で焼結させることができる。
【００４６】
センサ装置は、センサ素子を少なくとも部分的に取り囲むカバーを備える。支持体へのセンサ素子の機械的な固定はカバーを用いても行うことができる。
【００４７】
本発明の別の態様によれば、上記したセンサ素子および／またはセンサ装置の製造方法を記載する。例えば本体の一側面に配置された少なくとも１つの電極を備えたセラミック製の本体が用意される。さらに、接触片が用意される間、溶接またはボンディングによって電極に固定される。センサ装置の製造中、本体を支持するための支持体が用意される。接触片は支持体と一体化された構成要素を構成することができる。
【００４８】
本開示内容には、本発明の多数の観点が説明されている。センサ素子、センサ装置または方法に関して開示される特徴は全てそれぞれ他の観点についても開示されており、その逆のケースも当てはまる。それぞれの特徴がそれぞれ他の観点について、明言していないとしても、同様に当てはまる。
【００４９】
ここで述べる主題は、模式的で且つ縮尺不同の実施例に基づいて更なる詳細を説明する。
【図面の簡単な説明】
【００５０】
【図１】センサ素子を示す斜視図。
【図２】センサ装置の第１実施形態を示す図。
【図３Ａ】センサ装置の第２実施形態を示す図。
【図３Ｂ】図３Ａの拡大詳細図。
【図４Ａ】センサ装置の第３実施形態を示す図。
【図４Ｂ】図４Ａの拡大詳細図。
【図５Ａ】センサ装置の第４実施形態を示す図。
【図５Ｂ】図５Ａの拡大詳細図。
【発明を実施するための形態】
【００５１】
以下の図において同一符号は異なる実施形態の機能的または構造的に対応する部分を示す。
【００５２】
図１はセンサ素子１、特にセンサチップを示す。センサ素子１は、望ましくは温度の測定用として設計されている。センサ素子はセラミック製の本体２を備える。特にセラミックはＮＴＣ（Negative-Temperature-Coefficient：負の温度係数）セラミックである。例えばセラミックはペロブスカイト構造を有する。特にセラミックは、Ｙ−Ｃａ−Ｃｒ−Ａｌ−（Ｓｎ）−Ｏ系に基づくことができ、その場合、括弧内に記入された元素はオプションで存在させることができる。このようなセンサ素子１は特に高温用途に対して適している。代替的にセンサ素子１は、特に低い使用温度において、スピネル構造を有するセラミックを備えることができる。例えばセラミックはＮｉ−Ｃｏ−Ｍｎ−（Ａｌ）−（Ｆｅ）−（Ｃｕ）−（Ｚｎ）−（Ｃａ）−（Ｚｒ）−（Ｔｉ）−（Ｍｇ）−Ｏ系に基づくことができる。
【００５３】
センサ素子１は、本体２の側面３に配置される電極４を有する。別の対向する側面７に、別の電極８が配置される。以下において、電極４の構造を説明するが、その説明は別の電極８に対しても同様に当てはまる。
【００５４】
電極４は、複数の層５、６を有する層状の電極である。層５、６は、例えばスパッタリングで形成される。電極４は、電極４の確かな電気的接触がボンディングまたは溶接によって行うことができるように設計されている。
【００５５】
電極４は、電極ベースとも呼ばれる層５を備える。層５は、本体２のセラミックに直接取り付けられる。層５は、例えばバナジウムをわずかな割合有するニッケルを含むか、またはそれらの金属で構成されている。
【００５６】
層５の上に被覆層６がつけられる。例えば被覆層６は、特に酸化防止のための電極ベースに対する腐食防止の役割を果たす。被覆層６は、例えば銀、金、銅またはアルミニウムを含むか、あるいはそれらの材料の１つで構成されている。
【００５７】
一実施形態において、電極ベースは、多層に形成可能である。電極ベースの下部層は、例えばセラミックに直接接触する。下部層は、例えばクロムを含むか、あるいはクロムで構成される。加えて電極ベースは、下部層の上に形成される上部層を備える。上部層は、例えばバナジウムをわずかな割合有するニッケルを含むか、あるいはそれらの金属によって構成される。
【００５８】
例えば電極４の全ての層５、６はスパッタリングによって形成される。代替的に電極ベースは、金属ペースト、例えば金ペーストまたは銀ペーストの焼き付けによって形成される。
【００５９】
電極４、８に接触片１９、２０が溶接またはボンディングによって接合される。接触片１９、２０は短ワイヤの形の接触要素として形成される。例えば導線はボンディングによって電極４、８に接合される。
【００６０】
ここで接触片１９、２０の自由端は接続要素に接続することができる。例えば接続要素は、センサ要素の電気的接続を形成し、同時にセンサ要素の支持体も構成する。接続要素への接触片１０、２０の接合は、同様に溶接またはボンディングによって行うことができる。代替的に接触片は接続要素へ半田付けすることもできる。
【００６１】
一実施形態において、接触片は支持体と一体の構成要素を形成する。この場合接触片は、本体を支持するために十分な固有の安定性を備える。例えば接触片は太線として形成される。
【００６２】
接触片１９、２０は、低腐食傾向を有する温度安定性金属を含むことが好ましい。それは例えば、Ｐｔ、Ａｕ、Ａｇのような貴金属、Ｃｕのような半貴金属、もしくはＦｅ、Ｎｉのような非貴金属、またはそれらの合金を使用することができる。さらに接触片１９、２０は、異なる材料を備える異なる領域を有するように構成することもできる。例えば接触片１９、２０は、異なる材料の小領域を備える。接触片１９、２０は金属質の導線芯を備えることができ、且つ１つまたは複数の別の金属で被覆することができる。接触片１９、２０の表面は付加的にさらに例えば錫メッキ、ニッケルメッキ等のような被覆を備えることができる。
【００６３】
図２は、回路基板９に固定されたセンサ素子１を備えるセンサ装置２４を示す。この構成は特にパワーエレクトロニクスの分野において使用可能である。センサ素子１の本体２と電極４、８は図１におけると同様に形成される。
【００６４】
回路基板９は、センサ素子１の本体２に対する支持体２５としての、および電極４、８の電気的接続のための機能を果たす。センサ素子１は上面１０と下面１１を備える。センサ素子１はその下面１１において回路基板９に固定される。上面１０に配置される電極４は第１導通路１２に、および下面１１に配置される別の電極８は回路基板９の別の導通路１３に電気的に接続される。
【００６５】
センサ素子１は、例えばその下面１１において別の導通路１３に半田付けされる。半田付けを介した銀と鉛を含まない移動耐性のある接続のためには、金を含むかまたは金で構成される被覆層６が有利である。代替的に別の電極８は別の導通路１３と共に焼結される。そのために例えば細粒銀ペーストが導通路１３および／または別の電極８に塗布される。焼結は、例えば低温で圧力をかけた状態で行われる。この場合、別の電極８の被覆層は主として銀を含むか、または銀で構成されることが好ましい。
【００６６】
上面１０の電極４は、接触片１４を介して導通路１２に接続される。接触片１４は、例えばボンディングによって電極４に、および／または回路基板９に接合される。特に接触片１４は、導線ブリッジによって形成される。導線は、その末端において平坦にされる。特に、接触片は、細線を含み、細線は細線ボンディングによって接合することができる。例えば金線、アルミニウム線、銅線が使用される。電極４の被覆層６は、例えば金を含む。接触片１４は、図１において説明した接触片１９、２０と同じような材料と構成で形成することができる。
【００６７】
図３Ａは、センサ装置２４の別の実施形態を示す。図３Ｂは、図３Ａの拡大図を示す。特にセンサ装置は、センサ素子１を有するプローブ１５を備えている。プローブ１５は、例えば温度センサ用である。センサ素子１は、例えば図１におけるものと同じように設計される。
【００６８】
プローブ１５は棒状である。プローブ１５は、例えば流動媒体の温度測定用に使用される。例えばプローブ１５は、管の壁の開口を通して差し込むことができる。
【００６９】
プローブ１５は、２つの支持体要素１７、１８を含む支持体２５を有する。支持体要素１７、１８は、例えば、センサ素子１の本体２を支持することができ、且つ十分な寸法安定性を備えた太い導線である。支持体要素１７、１８は、それぞれ棒状である。
【００７０】
センサ素子１は、カバー１６で取り囲まれる。カバー１６はプローブ１５の十分な機械的安定性を確保することができる。さらにカバー１６によって外部の影響に対する保護を行うことができ、例えば攻撃的な媒体によるセンサ素子１の腐食を阻止することができる。例えばカバー１６は、ポリマーまたはガラスを備えている。支持体要素１７、１８はカバー１６の中へ突き出る。特に接触片１９、２０、およびそれに伴って支持体要素１７、１８とセンサ素子１間の接触位置はカバー１６によって取り囲まれる。
【００７１】
支持体要素１７、１８は、センサ素子１の電気的接触の役割も果たす。特に支持体要素１７、１８は導電性である。支持体要素１７、１８の末端は、電極４、８との直接的な電気的接触のための接触片１９、２０を成す。接触片１９、２０は支持体要素１７、１８と一体化した部分を構成する。支持体要素１７、１８の接触片１９、２０は、例えば電極４、８に溶接され、または太線ボンディングを用いて接合される。
【００７２】
望ましくは、支持体要素１７、１８と電極４、８との間の接続には半田は使用しない。溶接またはボンディングの場合、マイグレーション（migration）が防止でき、且つセンサ素子１の信頼性を高めることができる。
【００７３】
支持体要素１７、１８および特に接触片１９、２０は、図１において説明した接触片１９、２０と同じような材料と構成で形成することができる。但し、接触片１９、２０は、支持体要素１７、１８の残余部分と一緒に、センサ素子１を支持するための十分な固有安定性を示す。
【００７４】
図４Ａは、プローブ１５として形成されるセンサ装置２４の別の実施形態を示す。図４Ｂは図４Ａの拡大図を示す。センサ装置２４は、図３Ａによるセンサ装置２４と同様の形状である。但し、ここで示された実施形態において、センサ素子１は支持体要素１７、１８に直接固定されず、特に支持体要素１７、１８と電気的に直接接続されていない。本実施形態の場合、カバー１６が支持体２５に対するセンサ素子１の機械的固定を提供する。
【００７５】
代りにセンサ素子１は、独立した接触片１９、２０を介して支持体要素１７、１８に固定される。接触片１９、２０は、導線、特にボンディング導線の形状である。接触片１９、２０を有するセンサ素子１は、特に図１において説明したと同じ設計でよい。
【００７６】
図５Ａは半透明に表示されており、プローブ１５として形成されたセンサ装置２４の別の一実施形態を示す。図５Ｂは、図５Ａの拡大図を示す。センサ素子１は図１と同じように設計される。
【００７７】
プローブ１５は、２つの側面に金属被覆部２２、２３を有する支持体２５を備える。支持体２５は、セラミックを備える。センサ素子１の電極４、８は、それぞれ接触片１９、２０を介して金属被覆部２２、２３に電気的に接続される。接触片１９、２０は、センサ素子１の電極４、８に溶接またはボンディングによって接合される。接触片１９、２０は、支持体２５に同様に溶接またはボンディングによって接合される。
【符号の説明】
【００７８】
１…センサ素子、２…本体、３…側面、４…電極、５…電極ベース、６…被覆層、７…別の側面、８…別の電極、９…回路基板、１０…上面、１１…下面、１２…導通路、１３…別の導通路、１４…接触片、１５…プローブ、１６…カバー（囲い）、１８…支持体要素、１９…接触片、２０…接触片、２２…金属被覆部、２３…金属被覆部、２４…センサ装置、２５…支持体。
【図１】
0006357579.tif 000002
【図２】
0006357579.tif 000003
【図３Ａ】
0006357579.tif 000004
【図３Ｂ】
0006357579.tif 000005
【図４Ａ】
0006357579.tif 000006
【図４Ｂ】
0006357579.tif 000007
【図５Ａ】
0006357579.tif 000008
【図５Ｂ】
0006357579.tif 000009